(57)【特許請求の範囲】
【請求項１】
測定器と測定データ処理装置とが通信回線を介して接続された測定データ処理システムであって、
前記測定器は、
データの測定を行う測定部と、
前記測定部により測定した測定データを表示する表示部と、
前記表示部に表示された測定データを消去する画面消去手段と、
前記測定データを前記測定データ処理装置に送信する測定データ送信部と、を有し、
前記測定データ処理装置は、
前記送信部から測定データを受信する測定データ受信手段と、
前記測定データの記録を行うユーザの特定を行うユーザ特定手段と、
前記測定データ受信手段により受信した測定データと、前記ユーザ特定手段により特定したユーザ情報と対応付けて記録する測定データ記録手段と、
前記測定データ記録手段により測定データが記録されたことを条件に前記測定器の前記表示部の測定データを消去すべく指示する消去指示手段と、を有し、
前記測定器の画面消去手段は、前記消去指示手段により消去指示を受けた場合に、前記表示部に表示されている測定データを消去することを特徴とする測定データ処理システム。
【請求項２】
測定器と測定データ処理装置とが通信回線を介して接続された測定データ処理システムであって、
前記測定器は、
データの測定を行う測定部と、
前記測定部により測定した測定データを表示する表示部と、
前記表示部に表示された測定データを消去する画面消去手段と、
前記測定データを前記測定データ処理装置に送信する測定データ送信部と、を有し、
前記測定データ処理装置は、
前記送信部から測定データを受信する測定データ受信手段と、
前記測定データの測定を行ったユーザの特定を行うユーザ特定手段と、
前記測定データ受信手段により受信した、前記測定を行ったユーザの測定データと、前記ユーザ特定手段により特定したユーザ情報と対応付けて記録する測定データ記録手段と、
前記ユーザ特定手段によりユーザが特定されたことを条件に前記測定器の前記表示部の測定データを消去すべく指示する消去指示手段と、を有し、
前記測定器の画面消去手段は、前記消去指示手段により消去指示を受けた場合に、前記表示部に表示されている測定データを消去することを特徴とする測定データ処理システム。
【請求項３】
前記測定器の画面消去手段は、測定データを所定の時間表示した後、前記表示部に表示されている測定データを消去するタイマーによる消去を含むものであり、前記消去指示手段により消去指示を受ける前に前記所定の時間経過した場合は、タイマーにより前記測定データを消去することを特徴とする請求項１または２に記載の測定データ処理システム。
【請求項４】
前記データ処理装置は、前記記録手段による測定データの記録が成功した否かを判定する記録判定手段を有し、
前記消去指示手段は、前記記録判定手段により前記測定データの記録が成功したと判定されたことを条件に、前記測定データの消去を指示することを特徴とする請求項１乃至３のいずれか１項に記載の測定データ処理システム。
【請求項５】
前記測定データ記録手段による記録とは、電子メール送信のことであることを特徴とする請求項１乃至４のいずれか１項に記載の測定データ処理システム。
【請求項６】
前記測定データ記録手段による記録とは、データベースへの記録のことであることを特徴とする請求項１乃至５のいずれか１項に記載の測定データ処理システム。
【請求項７】
測定したデータを表示する表示部と、前記表示部に表示された測定データを消去する画面消去手段と、を有する測定器と通信可能な状態で接続された測定データ処理装置であって、
前記測定器から送信される測定データを受信する測定データ受信手段と、
前記受信した測定データの記録を行うユーザの特定を行うユーザ特定手段と、
前記測定データ受信手段により受信した測定データと、前記ユーザ特定手段により特定したユーザ情報と対応付けて記録する測定データ記録手段と、
前記測定データ記録手段により測定データが記録されたことを条件に前記測定器の前記表示部の測定データを消去すべく指示する消去指示手段と、
を有することを特徴とする測定データ処理装置。
【請求項８】
測定したデータを表示する表示部と、前記表示部に表示された測定データを消去する画面消去手段と、を有する測定器と通信可能な状態で接続された測定データ処理装置であって、
前記測定器から送信される測定データを受信する測定データ受信手段と、
前記受信した測定データの測定を行ったユーザの特定を行うユーザ特定手段と、
前記測定データ受信手段により受信した、前記測定を行ったユーザの測定データと、前記ユーザ特定手段により特定したユーザ情報と対応付けて記録する測定データ記録手段と、
前記ユーザ特定手段によりユーザが特定されたことを条件に前記測定器の前記表示部の測定データを消去すべく指示する消去指示手段と、
を有することを特徴とする測定データ処理装置。
【請求項９】
測定したデータを表示する表示部と、前記表示部に表示された測定データを消去する画面消去手段と、を有する測定器と通信可能な状態で接続された測定データ処理装置の制御方法であって、
前記測定器から送信される測定データを受信する測定データ受信ステップと、
前記受信した測定データの記録を行うユーザの特定を行うユーザ特定ステップと、
前記測定データ受信ステップにより受信した測定データと、前記ユーザ特定ステップにより特定したユーザ情報と対応付けて記録する測定データ記録ステップと、
前記測定データ記録ステップにより測定データが記録されたことを条件に前記測定器の前記表示部の測定データを消去すべく指示する消去指示ステップと、
を有することを特徴とする測定データ処理装置の制御方法。
【請求項１０】
測定したデータを表示する表示部と、前記表示部に表示された測定データを消去する画面消去手段と、を有する測定器と通信可能な状態で接続された測定データ処理装置の制御方法であって、
前記測定器から送信される測定データを受信する測定データ受信ステップと、
前記受信した測定データの記録を行うユーザの特定を行うユーザ特定ステップと、
前記測定データ受信ステップにより受信した、前記測定を行ったユーザの測定データと、前記ユーザ特定ステップにより特定したユーザ情報と対応付けて記録する測定データ記録ステップと、
前記ユーザ特定ステップによりユーザが特定されたことを条件に前記測定器の前記表示部の測定データを消去すべく指示する消去指示ステップと、
を有することを特徴とする測定データ処理装置の制御方法。
【請求項１１】
測定したデータを表示する表示部と、前記表示部に表示された測定データを消去する画面消去手段と、を有する測定器と通信可能な状態で接続された測定データ処理装置を、
前記測定器から送信される測定データを受信する測定データ受信手段と、
前記受信した測定データの記録を行うユーザの特定を行うユーザ特定手段と、
前記測定データ受信手段により受信した測定データと、前記ユーザ特定手段により特定したユーザ情報と対応付けて記録する測定データ記録手段と、
前記測定データ記録手段により測定データが記録されたことを条件に前記測定器の前記表示部の測定データを消去すべく指示する消去指示手段と、
を有することを特徴とする測定データ処理装置として機能させるためのプログラム。
【請求項１２】
測定したデータを表示する表示部と、前記表示部に表示された測定データを消去する画面消去手段と、を有する測定器と通信可能な状態で接続された測定データ処理装置を、
前記測定器から送信される測定データを受信する測定データ受信手段と、
前記受信した測定データの記録を行うユーザの特定を行うユーザ特定手段と、
前記測定データ受信手段により受信した、前記測定を行ったユーザの測定データと、前記ユーザ特定手段により特定したユーザ情報と対応付けて記録する測定データ記録手段と、
前記ユーザ特定手段によりユーザが特定されたことを条件に前記測定器の前記表示部の測定データを消去すべく指示する消去指示手段と、
を有することを特徴とする測定データ処理装置として機能させるためのプログラム。
【発明の詳細な説明】
【技術分野】
【０００１】
測定器を利用して測定した測定データの、測定器への表示を制御する測定データ処理システム、測定データ処理装置、測定データ処理装置の制御方法、およびそのプログラムに関する。
【背景技術】
【０００２】
近年、血圧などの生体データを測定し、測定した値を表示可能な測定器の普及が進んでおり、職場やスポーツクラブなどに、多数のユーザが手軽に利用できるような状態で設置されている。
【０００３】
また、測定したデータをサーバに蓄積しておき、必要な時に読みだして分析したりグラフを作成したりすることも行われている。
【０００４】
特許文献１では、測定した血圧データと別の条件で測定された血圧データを個別に表示する血圧計が提案されている。
【０００５】
特許文献２では、血圧測定、体重測定、及び体組成測定の順に利用者の生体の状態が測定された後、測定結果を表示タッチパネルに表示させ、続いて、測定結果である生体データと、ログインＩＤ、パスワード、及びシリアルＩＤを含む生体データ登録要求をサーバに送信する健康管理システムが提案されている。
【先行技術文献】
【特許文献】
【０００６】
【特許文献１】特開２００７−１２５４２７号公報
【特許文献２】特開２０１０−８６２２０号公報
【発明の概要】
【発明が解決しようとする課題】
【０００７】
血圧や体重などの生体データは、特に他人には知られたくないデータである。特に多数のユーザが利用できるようなスペースに設置された測定器などの表示部には、長時間測定データが表示されない方が望ましい場合がある。
【０００８】
しかしながら、特許文献１の技術では、測定したデータと別の条件で測定されたデータを個別に表示することを提案するものであり、また、特許文献２の技術では、測定したデータをサーバに送信しているものであるが、測定する前に測定結果を表示タッチパネルに表示させている。従って特許文献１、２ともに、多数のユーザが利用できるようなスペースで利用されると、測定データが他の多数のユーザに見られてしまうという問題があった。
【０００９】
そこで、本願発明では、測定器により測定されたデータが必要以上に測定器の表示部に表示されないように制御することが可能な測定データ処理システムを提供することを課題とする。
【課題を解決するための手段】
【００１０】
本発明は、測定器と測定データ処理装置とが通信回線を介して接続された測定データ処理システムであって、前記測定器は、データの測定を行う測定部と、前記測定部により測定した測定データを表示する表示部と、前記表示部に表示された測定データを消去する画面消去手段と、前記測定データを前記測定データ処理装置に送信する測定データ送信部と、を有し、前記測定データ処理装置は、前記送信部から測定データを受信する測定データ受信手段と、前記測定データの記録を行うユーザの特定を行うユーザ特定手段と、前記測定データ受信手段により受信した測定データと、前記ユーザ特定手段により特定したユーザ情報と対応付けて記録する測定データ記録手段と、前記測定データ記録手段により測定データが記録されたことを条件に前記測定器の前記表示部の測定データを消去すべく指示する消去指示手段と、を有し、前記測定器の画面消去手段は、前記消去指示手段により消去指示を受けた場合に、前記表示部に表示されている測定データを消去することを特徴とする。
【発明の効果】
【００１１】
本発明によれば、測定器により測定されたデータが必要以上に測定器の表示部に表示されないように制御することが可能なる。
【図面の簡単な説明】
【００１２】
【図１】本発明の実施形態における測定データ処理システムのシステム構成の一例を示す図である。
【図２】本発明の実施形態における測定データ処理装置１０３に適応可能な情報処理装置のハードウェア構成を示す図である。
【図３】本発明の実施形態における測定データ処理システムの機能構成を示す図である。
【図４】本発明の実施形態におけるユーザ情報設定画面の一例を示す図である。
【図５】本発明の実施形態におけるユーザ情報の一例を示す図である。
【図６】本発明の実施形態における測定データ処理システム全体の処理の流れを示すフローチャートである。
【図７】本発明の実施形態における第１の認証処理の処理フローを示すフローチャートである。
【図８】本発明の実施形態における第２の認証処理の処理フローを示すフローチャートである。
【図９】本発明の実施形態における第３の認証処理の処理フローを示すフローチャートである。
【図１０】本発明の実施形態における測定データの一例を示す図である。
【図１１】本発明の実施形態における測定データ蓄積部に蓄積された測定データの一例を示す図である。
【図１２】本発明の実施形態におけるメール配信画面の一例を示す図である。
【図１３】本発明の実施形態におけるグラフ表示の処理の一例を示すフローチャートである。
【図１４】本発明の実施形態におけるグラフ表示画面の一例を示す図である。
【図１５】本発明の実施形態における画面非表示設定画面の一例を示す図である。
【図１６】本発明の実施形態におけるユーザ設定情報の一例を示す図である。
【図１７】本発明の実施形態における測定器の処理フローを示すフローチャートである。
【図１８】本発明の実施形態における測定データ処理装置の処理フローを示すフローチャートである。
【発明を実施するための形態】
【００１３】
以下、添付図面を参照しながら、本発明に係る測定データ処理システムおよび測定データ処理装置および測定データ処理装置の制御方法およびそのプログラムの実施形態について詳細に説明する。
【００１４】
図１は、本発明の実施形態における測定データ処理システムのシステム構成の一例を示す図である。
【００１５】
測定データ処理システムは、測定器１０１、１０２、測定データ処理装置１０３、および測定データ管理サーバ１０４がＬＡＮ１０５を介して接続されている。また、ユーザ端末１０６が公衆網回線を介して通信可能な状態になっており、電子メールを送受信可能なように接続されている。
【００１６】
本実施形態では、測定器１０１は血圧計、測定器１０２は体重計（体脂肪も計測可能）として説明する。測定器の種類はこれに限ったものではなく、他の生体データを測定可能な歩数計やグルコースモニタなどを適用することも可能である。また、空気中の物質量を測定したり、においを測定したりするような測定器にも適用可能である。
【００１７】
測定器１０１、１０２は、データを測定し、測定したデータを表示部に表示することができる。測定データ処理装置１０３は、測定器１０１、１０２の周辺に設置されており、測定器１０１、１０２で測定したデータを、ユーザ情報とともに蓄積する機能を有する。蓄積場所は、測定データ管理サーバ１０４とすることも可能であるし、測定データ処理装置１０３とすることも可能である。
【００１８】
測定データ管理サーバ１０４は、測定データ処理装置１０３から受信した測定データを蓄積したり、測定データ処理システムの利用者であるユーザのユーザ情報を記憶したり、測定データをユーザ情報に記憶されて電子メールアドレスに送信したりする機能を有する。ただし、これらの機能は、データ管理サーバ１０４ではなく測定データ処理装置１０３が有するように構成することもできる。
【００１９】
測定器１０１、１０２と測定データ処理装置１０３は、ＬＡＮ１０５を介してデータ通信を行う構成としてもよいし、ＲＳ−２３２Ｃなどのデータ通信ケーブルによりデータ通信するように構成してもよい。
【００２０】
ユーザ端末１０６は、データを測定するユーザの所有する端末であって、本実施形態では、測定データを電子メールで受信するような構成となっている。
【００２１】
図２は、本発明の実施形態における測定データ処理装置１０３に適応可能な情報処理装置のハードウェア構成を示す図である。
【００２２】
図２に示すように、システムバス２０４を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、入力コントローラ２０５、ビデオコントローラ２０６、メモリコントローラ２０７、通信Ｉ／Ｆコントローラ２０８が接続される。
【００２３】
ＣＰＵ２０１は、システムバス２０４に接続される各デバイスやコントローラを統括的に制御する。
【００２４】
ＲＯＭ２０３あるいは記憶装置である外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本データ先指定方法を実現するためのコンピュータ読み取り実行可能なプログラムおよび必要な各種データ（データテーブルを含む）を保持している。
【００２５】
ＲＡＭ２０２は、ＣＰＵ２０１の主メモリ、ワークエリア等として機能する。ＣＰＵ２０１は、処理の実行に際して必要なプログラム等をＲＯＭ２０３あるいは記憶装置である外部メモリ２１１からＲＡＭ２０２にロードし、ロードしたプログラムを実行することで各種動作を実現する。
【００２６】
入力コントローラ２０５は、キーボード（ＫＢ）２０９からの入力を制御する。ビデオコントローラ２０６は、表示部の一例であるＣＲＴ２１０への表示出力を制御する。メモリコントローラ２０７は、外部メモリ２１１に記憶されている情報を読み出しと、外部メモリ２１１への情報の書き込みを制御する。
【００２７】
通信Ｉ／Ｆコントローラ２０８は、通信回線と接続してデータの送受信の制御を行う。クライアント端末の場合、通信Ｉ／Ｆコントローラ２０８は、ＬＡＮ１０５を介するデータの送受信を制御するものとする。また、測定器１０１、１０２との接続形態に合わせた通信方法でデータの送受信を制御するものとする。
【００２８】
なお、外部メモリ２１１には、後述する各種テーブルが格納されているものとする。また、後述する本発明の処理の一例を示すフローチャートを実行するためのコンピュータ読み取り実行可能なプログラムも、この外部メモリ２１１に記憶されているものとする。
【００２９】
なお、外部メモリ２１１は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００３０】
図２に示すハードウェア構成図は、測定データ管理サーバ１０４として利用される情報処理装置にも適用可能である。
【００３１】
図３は、本発明の実施形態における測定データ処理システム３００の機能構成を示す図である。
【００３２】
測定したデータを処理する測定データ処理装置３１０、データを測定する測定器３２０、および測定したデータを管理するデータ管理サーバ３３０の機能構成を示すものである。
【００３３】
測定器３２０は、データの測定を行う測定部３２１、測定したデータを表示する測定データ表示部３２２、および測定データを測定データ処理装置に送信する測定データ送信部３２３で構成される。測定データは、ＲＳ−２３２ＣやＵＳＢなどによるシリアル接続、ＳＣＳＩやセントロニクスなどによるパラレル接続、有線や無線によるＬＡＮ接続などを利用してデータ通信が行われる。
【００３４】
測定部３２１は、測定器３２０の有する機能により測定する内容が異なるものであり、例えば血圧計であれば血圧や脈拍、体重計であれば体重や体脂肪、グルコースモニタであれば血糖値などを測定する。また、環境測定器であれば空気中の有害物質量などを測定する。
【００３５】
測定データ表示部３２２は、測定したデータを表示する領域である。通常、測定したデータを表示した後、一定時間経過後もしくは手動により表示が消えるのが普通である。本実施形態では、測定データ処理装置３１０からデータの表示を消す旨の制御信号を受信した場合に表示を消すように構成される。
【００３６】
測定データ表示部に表示されたデータは、あらかじめ設定された時間表示された後（例えば３０秒後）に自動で消えるようになっている。また、表示中に次の測定が始まった場合にも消えるようになっている。データが消えるとは、表示部に何も表示されないようになることも、ゼロリセットされることも含まれるものとする。これは、測定器３２０の種類によりさまざまな構成をとることができる。
【００３７】
測定データ処理装置３１０は、測定器３２０から測定データを受信する測定データ受信部３１１、ユーザ認証を受付ける認証受付部３１２、測定データを記録する測定データ記録部３１３、および測定器の表示部を制御する測定器制御部３１４で構成される。
【００３８】
認証受付部３１２は、測定を行ったユーザからユーザ認証の受付けを行うものである。例えばユーザの保持するＩＣカードからユーザ情報を読取るＩＣカードリーダなどにより実装可能である。その他、ユーザから直接ユーザＩＤなどの入力を受付けるキーボートやタッチパネルなどの入力装置を適用することも可能である。
【００３９】
測定データ記録部３１３は、認証受付部３１２で受付けたユーザ情報と測定データ受信部３１１で受信した測定データを測定データ処理システムへの記録（登録）を制御するものである。
【００４０】
測定器制御部３１４は、測定器３２０の測定データ表示部３２２の表示に関する制御を行うことができる。ユーザや管理者によって設定された所定の条件を満たした場合に、測定データ表示部の表示を消去する制御を行う。所定の条件とは、後述するが、例えばユーザの認証が正常に行われた場合や、測定値がメール送信、データベースに記録された場合などを指す。
【００４１】
データ管理サーバ３３０は、測定データ処理装置３１０の測定データ記録部３１３からデータ記録要求を受けた場合に測定データを蓄積する測定データ蓄積部３３１、測定データ処理システム３００のユーザ情報を記憶するユーザ情報記憶部３３２、測定データを電子メール送信する電子メール送信部３３３、および測定データ蓄積部３３１に蓄積された測定データの集計を行う測定データ集計部３３４で構成される。データ集計にはグラフの作成機能なども含まれる。
【００４２】
データ管理サーバ３３０で有する構成は、測定データ処理装置３１０が有するように構成することも可能である。測定データ処理システム３００として機能させるために、データ管理サーバ３３０、測定データ処理装置３１０の持つ機能はどちらで処理するようにしても構わない。
【００４３】
図４は、本発明の実施形態におけるユーザ情報設定画面の一例を示す図である。
【００４４】
ユーザ情報設定画面４００は、ユーザが接続する測定データ処理システムのユーザ情報を設定するメンテナンス画面である。ユーザはＰＣから接続してもよいし、携帯端末から接続してもよい。メニュー画面４０１では、ユーザ情報設定４０２とグラフ表示４０３を選択することができるようになっており、本画面は、ユーザ情報設定４０２が選択されることにより表示される。
【００４５】
本画面は、測定データ処理システムに登録されたユーザ情報の更新を行う画面である。ユーザ名の登録や変更が行える他、メール配信４０４、携帯メール配信４０５、およびグラフ表示４０６を「する」「しない」の設定を登録することができる。
【００４６】
メール配信４０４および携帯メール配信４０５が「する」と設定された場合には、メールアドレスの入力を受付ける。測定データ記録部３１３が測定データの記録を行った場合にこのメール配信の設定に従って測定データが登録されたメールアドレスに送信される。
【００４７】
グラフ表示４０６が「する」と設定された場合には、測定データ記録部３１３が測定データの記録を行った際場合に測定データ蓄積部３３１に測定データを蓄積し、後からグラフの作成が行えるようにする。
【００４８】
登録ボタン４０７が押下されると入力された情報が登録され、キャンセルボタン４０８が押下されると入力された情報は破棄される。また、ユーザ情報を変更する画面が呼び出された場合には、登録ボタン４０７の代わりに不図示の「更新」ボタンが表示され、押下することで登録済みのユーザ情報が更新される。
【００４９】
画面非表示設定ボタン４０９が押下されると、図１５に示す画面非表示設定が表示される。詳細については後述するが、測定器の画面に表示された測定値をどのように消去するのかを設定する画面である。
【００５０】
図５は、本発明の実施形態におけるユーザ情報のマスタデータの一例を示す図である。
【００５１】
ユーザ情報設定画面４００において登録・更新された情報が、ユーザ情報記憶部３３２に記憶されている。ユーザ名５０２、メールアドレス５０５、メール配信フラグ５０６、携帯メールアドレス５０７、携帯メール配信フラグ５０８、およびグラフ表示フラグ５０９の各項目は、ユーザ情報設定画面４００で入力された情報である。
【００５２】
ユーザＩＤ５０１は、測定データ処理システムで一意に割振られるＩＤである。パスワード５０３は、ユーザがシステムにログインする際に利用されるパスワードである。管理区分５０４は、管理者として登録されているユーザに「１」が設定されており、それ以外のユーザには「０」が設定されている。ログイン失敗回数５１０は、ログインに失敗した回数をカウントしており、所定回数ログインに失敗した場合、アカウントがロックされる。ロックフラグ５１１には、アカウントのロック状態が記憶されている。管理者はシステムへの特権を有し、特権を利用することで例えばロック状態を解除することが可能となっている。
【００５３】
図６は、本発明の実施形態における測定データ処理システム全体の処理の流れを示すフローチャートである。
【００５４】
まずステップＳ６０１で測定器による測定が開始され、ステップＳ６０２で測定データが表示された状態で、ユーザからの認証の受付けた時に測定データ処理装置の処理が開始される。
【００５５】
ステップＳ６０３では、認証処理を行う。詳細については後述するが、認証処理では、認証を受付けたユーザが測定データ処理システムに登録されているかの判定、測定データの記録方式の判定、および測定器の表示部の制御に関する判定などの処理をおこなう。
【００５６】
ステップＳ６０４では、認証処理の結果、認証に成功したと判定された場合にステップＳ６０５に進み、認証に失敗したと判定された場合、何も行わず処理を終了する。
【００５７】
ステップＳ６０５では、測定データの記録処理を行う。認証処理において、そのように測定データを記録するかの判定が行われるので、その判定に従って測定データを記録する。本実施形態では、測定データの記録として、電子メール送信と測定データ蓄積部へのデータ蓄積を例に説明する。
【００５８】
測定データ管理サーバは、ステップＳ６０６で測定データを受信し、ステップＳ６０７で測定データを記録する。記録の方式が電子メールであった場合、電子メール送信部３３３が指定の宛先へ測定データの送信を行い、記録の方式がデータ蓄積であった場合、測定データ蓄積部３３１へ測定データを蓄積する。
【００５９】
ステップＳ６０８では、測定データ管理サーバから記録結果を受信する。記録結果とは、電子メール送信であれば正常に送信できたか、データ蓄積であれば正常に蓄積できたか、などを指す。
【００６０】
ステップＳ６０９では、認証処理の結果、測定器の表示部の内容が非表示に設定されているかどうかを判定する。非表示設定になっていた場合、ステップＳ６１０に進み、測定器の表示部から測定データを非表示にする制御を行う。この制御は直接測定器の表示部を制御してもよいし、測定器に非表示とするような制御信号を送信するようにしてもよい。非表示制御が行われた場合、測定器の表示部は測定データが非表示にされた状態となる。
【００６１】
なお、非表示制御とするかどうかの判定は、ステップＳ６０８で受信した記録結果の記録判定を行い、記録が成功した場合に行うようにしてもよいし、ステップＳ６０５で、測定データ記録を行った時点で、記録結果とは無条件に非表示制御するようにしてもよい。この場合、ステップＳ６０８で記録結果を受信する工程は省略することができる。
【００６２】
これにより、記録が成功した場合に測定器の表示部に測定データを非表示にするので、非表示にしたことで、測定値が分からなくなってしまうなどの問題をふせぐことができる。（この場合は、配信される電子メールや蓄積されたデータを参照すればよいので。）
【００６３】
図７は、本発明の実施形態における第１の認証処理の処理フローを示すフローチャートである。
図６のステップＳ６０３の認証処理に対応する。
【００６４】
ステップＳ７０１で、認証を受付けたユーザのユーザ情報を取得し、ステップＳ７０２では認証に成功したかどうかの判定を行う。認証に成功したかどうかは、ユーザ情報記憶部３３２に当該ユーザの情報が登録されているか否かで判定する。登録されていれば認証に成功したとみなすこととする。
【００６５】
認証に失敗した場合、ステップＳ７０３で認証状態を認証失敗に設定し、処理を終了する。（ステップＳ６０４に戻る。）認証に成功した場合、ステップＳ７０４で、測定器の表示部を非表示にする設定を行い、ステップＳ７０５に進む。
【００６６】
ステップＳ７０５では、メール配信をする設定がされているかどうかの判定を行う。図５に示すユーザ情報のメールまたは携帯メールの配信フラグが「１」（ＯＮ）に設定されている場合にメール配信すると判定する。メール配信しないと判定された場合、ステップＳ７０７に進む。
【００６７】
一方、メール配信すると判定された場合には、ステップＳ７０６にて電子メールの送信設定を行う。ここでは、測定データを指定の宛先であるユーザ宛てに電子メール送信できるよう設定を行い、測定データの記録方式は電子メールと設定される。
【００６８】
ステップＳ７０７では、グラフ表示をする設定がされているかどうかの判定を行う。図５に示すユーザ情報のグラフ表示フラグが「１」（ＯＮ）に設定されている場合にグラフ表示すると判定する。グラフ表示しないと判定された場合、処理を終了する。
【００６９】
一方、グラフ表示すると判定された場合には、ステップＳ７０８にて測定データの蓄積を行えるよう設定を行い、測定データの記録方式は、データ蓄積と設定される。
【００７０】
これにより、認証を受付けたユーザがユーザ登録されていた場合に、測定器の表示部から表示を消すようにすることが可能となる。
【００７１】
図８は、本発明の実施形態における第２の認証処理の処理フローを示すフローチャートである。
図６のステップＳ６０３の認証処理に対応する。
【００７２】
ステップＳ８０１で、認証を受付けたユーザのユーザ情報を取得し、ステップＳ８０２では認証に成功したかどうかの判定を行う。認証に成功したかどうかは、ユーザ情報記憶部３３２に当該ユーザの情報が登録されているか否かで判定する。登録されていれば認証に成功したとみなすこととする。
【００７３】
認証に失敗した場合、ステップＳ８０３で認証状態を認証失敗に設定し、処理を終了する。（ステップＳ６０４に戻る。）認証に成功した場合、ステップＳ８０４に進む。
【００７４】
ステップＳ８０４では、メール配信をする設定がされているかどうかの判定を行う。図５に示すユーザ情報のメールまたは携帯メールの配信フラグが「１」（ＯＮ）に設定されている場合にメール配信すると判定する。メール配信しないと判定された場合、ステップＳ８０７に進む。
【００７５】
一方、メール配信すると判定された場合には、ステップＳ８０５にて電子メールの送信設定を行う。ここでは、測定データを指定の宛先に電子メール送信できるよう設定を行い、測定データの記録方式は電子メールと設定される。ステップＳ８０６で、測定器の表示部を非表示にする設定を行い、ステップＳ８０７に進む。
【００７６】
ステップＳ８０７では、グラフ表示をする設定がされているかどうかの判定を行う。図５に示すユーザ情報のグラフ表示フラグが「１」（ＯＮ）に設定されている場合にグラフ表示すると判定する。グラフ表示しないと判定された場合、処理を終了する。
【００７７】
一方、グラフ表示すると判定された場合には、ステップＳ８０８にて測定データの蓄積を行えるよう設定を行い、測定データの記録方式は、データ蓄積と設定される。
【００７８】
これにより、測定データを電子メール配信する場合に測定器の表示部から表示を消すことができる。
【００７９】
図９は、本発明の実施形態における第３の認証処理の処理フローを示すフローチャートである。
図６のステップＳ６０３の認証処理に対応する。
【００８０】
ステップＳ９０１で、認証を受付けたユーザのユーザ情報を取得し、ステップＳ９０２では認証に成功したかどうかの判定を行う。認証に成功したかどうかは、ユーザ情報記憶部３３２に当該ユーザの情報が登録されているか否かで判定する。登録されていれば認証に成功したとみなすこととする。
【００８１】
認証に失敗した場合、ステップＳ９０３で認証状態を認証失敗に設定し、処理を終了する。（ステップＳ６０４に戻る。）認証に成功した場合、ステップＳ９０４に進む。
【００８２】
ステップＳ９０４では、メール配信をする設定がされているかどうかの判定を行う。図５に示すユーザ情報のメールまたは携帯メールの配信フラグが「１」（ＯＮ）に設定されている場合にメール配信すると判定する。メール配信しないと判定された場合、ステップＳ９０６に進む。
【００８３】
一方、メール配信すると判定された場合には、ステップＳ９０５にて電子メールの送信設定を行う。ここでは、測定データを指定の宛先に電子メール送信できるよう設定を行い、測定データの記録方式は電子メールと設定される。
【００８４】
ステップＳ９０６では、グラフ表示をする設定がされているかどうかの判定を行う。図５に示すユーザ情報のグラフ表示フラグが「１」（ＯＮ）に設定されている場合にグラフ表示すると判定する。グラフ表示しないと判定された場合、処理を終了する。
【００８５】
一方、グラフ表示すると判定された場合には、ステップＳ９０７にて測定データの蓄積を行えるよう設定を行い、測定データの記録方式は、データ蓄積と設定される。ステップＳ９０８で、測定器の表示部を非表示にする設定を行い、処理を終了する。
【００８６】
これにより、測定データを測定データ蓄積部に記録する場合に測定器の表示部から表示を消すことができる。
【００８７】
なお、図７〜図９では、第１〜第３の認証処理について説明した。これら認証処理では、電子メールの配信やデータ蓄積（グラフ表示）に関しては、フラグにより管理するようになっているが、フラグによる管理ではなく全ての測定データをデータ蓄積するようにしてもよいし、電子メールアドレスが登録されている場合に、電子メールを送信するようにしてもよい。また、電子メール配信する場合には、一旦データ蓄積を行うようにし、蓄積されたデータを電子メール配信するようにしてもよい。また、これら第１〜第３の認証処理を組み合わせて実装すること可能である。
【００８８】
図１０は、本発明の実施形態における測定データの一例を示す図である。
【００８９】
測定器で測定されたデータにユーザＩＤや測定年月日およびデバイス名を対応付けて追記し、測定データとして測定データ記録部３１３が記録する際に送信されるデータである。
【００９０】
ユーザＩＤ１００１は、認証要求をしたユーザのＩＤである。測定年月日１００２は、測定器が測定した年月日であり、本実施形態では、月日に加え時間の情報も記録するようにしている。
【００９１】
１００３〜１００５は、測定器で測定された値であり、測定器が血圧計である例として、最高血圧、最低血圧、および脈拍数が記録される。測定器の種類により記録する項目が異なる。デバイス名１００６は、測定したデバイスを特定可能なＩＤとなっている。
【００９２】
測定データ以外の値は、測定器から受け取るようにしてもよいし、データ処理装置が付与して記録するようにしてもよい。
【００９３】
この例では、ユーザＩＤ「０００００２」のユーザが、「２０１１−０８−１１」に測定を行い、測定値は、「１２０／７５／７０」であり、測定した測定器のデバイス名が「Ｄｅｖｉｃｅ−００１」であることが分かる。
【００９４】
図１１は、本発明の実施形態における測定データ蓄積部に蓄積された測定データの一例を示す図である。
【００９５】
測定データ記録部３１３により、記録方式がデータ蓄積であった場合に記録され、測定データ蓄積部３３１に蓄積されたデータである。
【００９６】
各項目は、測定データ記録部３１３が記録するデータである図１０の項目と同様である。
【００９７】
図１２は、本発明の実施形態におけるメール配信画面の一例を示す図である。
【００９８】
メール画面１２０１は、測定データ記録部３１３により、記録方式が電子メール配信であった場合に送信されたメールの受信画面であり、電子メール送信部３３３により送信されたメールである。
【００９９】
メールは、ユーザＩＤ「０００００２」である「観音太郎」さんの、登録された携帯メールアドレス宛てに配信されている。
【０１００】
本文には、測定結果として、測定日時および測定データ（値）が記載されている。また、測定データ蓄積部に測定データが蓄積されている場合には、メールを受信したユーザの過去の測定データをメールの本文内に記載するように構成することもできる。画面の例では、ユーザＩＤ「０００００２」の蓄積されたデータが記載されていることがわかる。また、日付だけではなく測定した時間を記載するようにしてもよい。
【０１０１】
図１３は、本発明の実施形態におけるグラフ表示の処理の一例を示すフローチャートである。
【０１０２】
図４のメニューでグラフ表示４０３が選択された際に処理が開始される。
【０１０３】
ステップＳ１３０１でグラフ表示要求を行ったユーザのユーザ名を取得し、ステップＳ１３０２で、指定された期間のデータを測定データ蓄積部３３１から取得する。
【０１０４】
ステップＳ１３０３で、グラフを表示する画面を生成して処理を終了する。
【０１０５】
なお、ここで指定された期間とは、後述するグラフ表示画面で受付けるものである。
【０１０６】
図１４は、本発明の実施形態におけるグラフ表示画面の一例を示す図である。
【０１０７】
グラフ表示画面１４０１は、測定データ処理システムのメニューからグラフ表示が選択された場合に表示される画面である。
【０１０８】
データの種類１４０２では、表示したいデータの種類を選択する。本実施形態で説明した血圧計以外のデータ（例えば体重計や歩数計など）をデータ蓄積部に蓄積しておけば、データの種類ごとのデータを表示することが可能となる。また、グラフ上に全ての種類のデータを表示させることも可能である。また、不図示の「デバイスの種類」を選択することで、特定のデバイスで測定したデータを表示させることも可能である。
【０１０９】
表示する期間１４０３では、表示させたい期間の入力を受付ける。ここで受付けた期間のグラフ１４０４が表示される。
【０１１０】
図１５は、本発明の実施形態における画面表示詳細設定画面の一例を示す図である。
【０１１１】
図４の画面非表示設定ボタン４０９が押下された場合に表示される。測定器の表示部に表示されている測定値を、測定器に設定された画面の消去設定に従うのではなく、積極的に消去したい場合に利用される。ユーザが自身の設定を行うことも可能であるし、管理者が設定することも可能である。
【０１１２】
ユーザは、「設定した内容に従い測定画面を消す」１５０２、もしくは、「測定器の設定に従う」１５０３を選択する。「測定器の設定に従う」１５０３を選択するすると、測定器に予め設定された条件で測定データが消去されることになる。
【０１１３】
一方、「設定した内容に従い測定画面を消す」１５０２を選択した場合、測定データを表示画面から消す条件として、認証（ユーザの特定）、メール送信およびデータベースへの記録を選択する。この条件は複数選ぶことが可能であり、複数選択された場合は選択された項目すべての条件が満たされた場合に、測定データを消去する命令を測定器に対して送信する。
【０１１４】
認証（ユーザの特定）とは、測定したユーザが本測定データ処理システムに登録されているユーザである場合に、ユーザの特定が正常に行われたことを示す。パスワードやＩＣカードを使った認証であってもよい。
【０１１５】
メール送信とは、ユーザ情報に登録されているメールアドレスへ送信が行われたことを示す。データベースへの記録とは、測定データをデータベースに記録したことを示す。なお、メール送信およびデータベースに記録に関して、送信や記録を行った場合に測定データを消去するようにするのか、送信や記録が成功した場合に、測定データを消去するようにするのかは設定により切り替えることが可能となっている。
【０１１６】
なお、メールの送信の成功の判定は、例えば所定時間の間に不達メールが届かない場合に成功と判定することができる。データベースへの記録の判定は、例えば、データベースサーバへの書込みが成功した旨のステータスを取得することで判定することができる。データベースへ記録されたデータはグラフ表示する際に利用される。
【０１１７】
図１６は、本発明の実施形態におけるユーザ設定情報の一例を示す図である。
【０１１８】
図５に示すユーザ情報の５０１〜５１１と、図１６の１６０１〜１６１１は同じ情報が記録されているので説明は省略する。
【０１１９】
画面設定１６１２には、図１５で設定された測定器に表示された測定データを消去する設定が記録されている。図１５にて認証（ユーザの特定）が選択された場合には、ユーザ特定１６１３の項目にフラグ（本実施形態では「１」）が設定される。選択されてない場合には、「０」が設定される。
【０１２０】
メール送信が選択された場合には、電子メール１６１４の項目にフラグが設定される。データベースへの記録が選択された場合には、データベース１６１５にフラグが設定される。
【０１２１】
例えばユーザＩＤが「０００００２」の「観音太郎」は、電子メール送信された時に、表示画面が消去される。また、ユーザＩＤが「０００００４」の三田町子は、電子メールの送信とデータベースへの書込みがなされた時に表示画面が消去される。
【０１２２】
図１７は、本発明の実施形態における測定器の処理フローを示すフローチャートである。
【０１２３】
ステップＳ１７０１で、ユーザからの指示により測定を開始する。ステップＳ１７０２では、測定したデータを表示部に表示する。ステップＳ１７０３で、ユーザより認証を受付ける。本実施形態では、ユーザの所有するＩＣカードをＩＣリーダにかざすことにより行われる。また、ユーザＩＤの入力を受付けるようなものでもよく、測定器を利用したユーザを特定できればよい。
【０１２４】
また、ユーザ認証は、ユーザが測定を開始する前に行っても構わない。その場合、図１５で認証（ユーザの特定）が指定を受付けないようにするか、無効にするようにすればよい。
【０１２５】
次にステップＳ１７０４で測定データを測定データ処理装置に送信する。この状態では、測定器の表示部には測定データが表示された状態となっている。
【０１２６】
ステップＳ１７０５では、測定データ処理装置から表示データを消去するメール、すなわち非表示命令を受信するかを判定する。受信した場合は、ステップＳ１７０７に進み、測定器に表示された測定データを消去すべく消去指示を行う。
【０１２７】
ステップＳ１７０６では、測定器に設定された消去条件を満たした場合、ステップＳ１７０８に進み、測定器の画面を消去する。測定器に設定された消去条件とは、表示してから所定時間経過した場合に消去するタイマーによる条件や、次の測定が始まった場合などがあげられる。
【０１２８】
測定データ処理装置から非表示命令を受信するか、測定器に設定された消去条件を満たすまで、ステップＳ１７０５とステップＳ１７０６の処理が繰り返し処理される。
【０１２９】
図１８は、本発明の実施形態における測定データ処理装置の処理フローを示すフローチャートである。
【０１３０】
ステップＳ１８０１で、測定器から測定データを受信する。ステップＳ１８０２では、受信したデータのユーザ設定情報から、画面消去設定（画面設定１６１２）を取得する。
【０１３１】
ステップＳ１８０３では、画面消去設定が認証による消去であった場合、ステップＳ１８０４に進み、測定器に対して画面非表示制御を行う。具体的には、測定データが表示されている測定器に対して表示画面を消去するような命令を送信する。
【０１３２】
ステップ１８０５では、測定データを送信する処理を行う。送信処理とは、電子メールの送信やデータベースへの記録をいう。処理内容については、図１６のユーザ設定情報に設定されたメール配信フラグ１６０６およびグラフ表示フラグ１６０８の設定に従って処理される。
【０１３３】
例えばメール配信フラグがＯＮ「１」になっていれば登録されたメールアドレスにメール送信を行い、グラフ表示フラグがＯＮ「１」になっていればデータベースへの記録を行う。
【０１３４】
ステップＳ１８０６では、画面消去設定に、データ送信による消去が設定されているかを判定する。具体的には、メール送信またはデータベースへの記録である。ここで、複数条件が設定されている場合には、両方の送信を行ったかどうかの判定を行う。
【０１３５】
データ送信による消去が設定されていた場合には、ステップＳ１８０７で画面非表示制御を行う。ステップＳ１８０８では、送信結果の受信を行う。送信結果とは、メール送信であれば、メールの送信結果であり、データベースへの記録であれば、記録の成否である。メールサーバやデータベースから結果を受信するものでもよいし、測定データ処理装置が測定データ管理サーバに問い合わせるものでもよい。
【０１３６】
ステップＳ１８０９で、画面消去設定に、データ記録成功による消去が設定されているかを判定する。データの記録が成功したと判定された場合には、ステップＳ１８１０にて画面非表示制御を行い、処理を終了する。
【０１３７】
なお、画面消去の判定をステップＳ１８０６で行うかステップＳ１８０９で行うかは、システムに設定することが可能であり、メール送信とデータベースの記録について、別々に設定することも可能である。その場合、メール送信は送信が完了したら、データベースの記録は記録が成功したら、といった判定をすることが可能となる。
【０１３８】
以上説明したように、本実施の形態によれば、必要以上に測定器の表示部に測定データが表示されないように制御することができる。
【０１３９】
また、測定データ蓄積部に蓄積しておくことで後から表示させることもできるし、電子メールを受信することにより確認することもできるので、問題なく測定器の表示部から測定データを消すことができ、他人から除かれたりすることを防ぐことができる。
【０１４０】
また、測定器、測定データ処理装置および測定データ管理装置は、それぞれの機能を別の装置が有するようにしてもよいし、また１つの装置が全ての役割を持つように構成してもよい。
【０１４１】
なお、上述した各種データの構成及びその内容はこれに限定されるものではなく、用途や目的に応じて、様々な構成や内容で構成されることは言うまでもない。
【０１４２】
また、本発明におけるプログラムは、各フローチャートの処理方法をコンピュータが実行可能なプログラムであり、本発明の記憶媒体は各フローチャートの処理方法をコンピュータが実行可能なプログラムが記憶されている。
【０１４３】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１４４】
この場合、記録媒体から読み出されたプログラム自体が本発明の新規な機能を実現することになり、そのプログラムを記憶した記録媒体は本発明を構成することになる。
【０１４５】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１４６】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４８】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１４９】
なお、上述した各実施形態およびその変形例を組み合わせた構成も全て本発明に含まれるものである。
【符号の説明】
【０１５０】
１０１  測定器
１０２  測定器
１０３  測定データ処理装置
１０４  測定データ管理サーバ
【図１】
0005582174.tif 000002
【図２】
0005582174.tif 000003
【図３】
0005582174.tif 000004
【図４】
0005582174.tif 000005
【図５】
0005582174.tif 000006
【図６】
0005582174.tif 000007
【図７】
0005582174.tif 000008
【図８】
0005582174.tif 000009
【図９】
0005582174.tif 000010
【図１０】
0005582174.tif 000011
【図１１】
0005582174.tif 000012
【図１２】
0005582174.tif 000013
【図１３】
0005582174.tif 000014
【図１４】
0005582174.tif 000015
【図１５】
0005582174.tif 000016
【図１６】
0005582174.tif 000017
【図１７】
0005582174.tif 000018
【図１８】
0005582174.tif 000019